(57)【要約】【課題】体裁及び使い勝手を向上できるマット式マッサージ機を得ることにある。【解決手段】複数のマッサージ要素（空気の給排気に伴い膨縮する空気袋２１ａ〜２１ｅ）が取付けられたマットレス５を、床面（設置面）Ｆとの間に床上空間Ｇを設けて配置する。床上空間Ｇに、マットレス５とは別置きされるエアー給排気装置（駆動装置）６の駆動部３１を配置する。駆動部３１と各マッサージ要素２１ａ〜２１ｅとを接続し空気（駆動エネルギー）を各空気袋２１ａ〜２１ｅに導く装置６の複数のエアーチューブ（伝達要素）３２を、マットレス５の周部から引出してマットレス５の外周面を上下方向に横切って床上空間Ｇに引き回わし、これらチューブ３２のマットレス５から床上空間Ｇにわたる引き回し部分３２ａを平面状に並べたことを特徴としている。【選択図】    図２
2004154422.tif 000002
【特許請求の範囲】
【請求項１】
設置面との間に床上空間を空けて配置されるとともに、複数のマッサージ要素が取付けられたマットレスと、
前記床上空間に配置される駆動部、及び前記マットレスの周部から引出されるとともに前記マットレスの外周面を上下方向に横切って前記床上空間に引き回されて、前記駆動部と前記各マッサージ要素とを接続し駆動エネルギーを前記マッサージ要素に導く複数の伝達要素を有した駆動装置と、
を具備し、前記マットレスから前記床上空間にわたる前記各伝達要素の引き回し部分が平面状に並べられているマット式マッサージ機。
【請求項２】
請求項１に記載のマット式マッサージ機において、前記マットレスの外周面に取付けられて、前記各伝達要素の前記引き回し部分を平面状に並べて保持する保持手段を備えているマット式マッサージ機。
【請求項３】
請求項２に記載のマット式マッサージ機において、前記保持手段が、前記各伝達要素の前記引き回し部分を表面側から覆うシート状の布カバーと、この布カバーの裏面に設けられて前記引き回し部分が貫通する通路を前記布カバーとともに形成する保持要素とを有しているマット式マッサージ機。
【請求項４】
複数のマッサージ要素が取付けられた上部マットレスと、
設置面との間に床上空間を設けて前記設置面上に設置され、上面に前記上部マットレスが載置される基礎マットレスと、
この基礎マットレスより一回り大きな枠部を有して前記設置面上に設置されるベッドフレームと、
前記床上空間に配置される駆動部、及び前記上部マットレスの周部から引出されるとともに前記上部マットレス及び前記基礎マットレスの外周面を上下方向に横切って前記床上空間に引き回されて、前記駆動部と前記各マッサージ要素とを接続し駆動エネルギーを前記マッサージ要素に導く複数の伝達要素を有した駆動装置と、
を具備し、前記上部マットレスから前記床上空間にわたる前記各伝達要素の引き回し部分が、前記ベッドフレームの枠部と前記基礎マットレスとの間の隙間を通って引き回されているとともに、この引き回し部分が平面状に並べられて前記両マットレスに保持されているベッド。
【発明の詳細な説明】
【０００１】
【発明の属する技術分野】
本発明は、例えば膨縮される空気袋等のマッサージ要素によりマットレス上の人体に対するマッサージが可能なマット式マッサージ機、及びこのマッサージ機を備えたベッドに関する。
【０００２】
【従来の技術】
従来、人が寝ることができるマット部に複数の空気袋を取付け、これらの空気袋を繰返し膨縮させて、マット部上の人体をマッサージできるマット式マッサージ機が知られている（例えば特許文献１参照。）。
【０００３】
このマッサージ機では、マット部に対してエアー給排気装置（駆動装置）の駆動部を別置きし、この駆動部から導かれ、かつ複数本のエアーホースを束ねてなるエアー給排気装置の接続ホースの先端部に、コネクタを取付けている。このコネクタは、各空気袋に連通してマット部に設けられた被接続部に着脱可能に接続される。この接続状態でエアー給排気装置を駆動することにより、各空気袋を繰返し膨縮させることができる。
【０００４】
【特許文献１】
特開平１１−１９１４８号公報（段落００１８−００２３、００４２、図１）
【０００５】
【発明が解決しようとする課題】
特許文献１のマット式マッサージ機では、マット部と、このマット部に対して別置きされたエアー給排気装置の駆動部とを、束ねた接続ホースで連通している。このようにエアー給排気装置の駆動部がマット部の回りに配置されて視認されるので、このマット式マッサージ機の体裁は良くなく、その改善が求められている。更に、マット部の回りの床面上にエアー給排気装置をなす駆動部と接続ホースとが配置された状態で使用されるので、これらが、使用者にとって邪魔になり易く、使用者の足で踏まれたり、使用者の足等が引っ掛かる恐れもあるので、使い勝手の改善も求められている。
【０００６】
本発明が解決しようとする課題は、体裁及び使い勝手を向上できるマット式マッサージ機、及びこのマッサージ機を備えたベッドを得ることにある。
【０００７】
【課題を解決するための手段】
前記課題を解決するために、本発明は、設置面との間に床上空間を設けて配置されとともに複数のマッサージ要素が取付けられたマットレスを備え、このマットレスとは別置きされる駆動装置が有した駆動部を床上空間に配置し、この駆動部と各マッサージ要素とを接続し駆動エネルギーを各マッサージ要素に導く駆動装置が有した複数の伝達要素を、マットレスの周部から引出してこのマットレスの外周面を上下方向に横切って床上空間に引き回わすとともに、これら伝達要素のマットレスから床上空間にわたる引き回し部分を平面状に並べたことを特徴としている。
【０００８】
本発明で、マットレスを設置面上に床上空間を設けて配置するには、このマットレスに足を設けたり、このマットレスを載置する基礎マットレスを用いる場合には、基礎マットレスに足を設けたり、又は、基礎マットレスが載置されるベッドフレーム等の基礎フレームを介して基礎マットレスを設置面に載置する場合には、基礎フレームに足を設ける等の空隙形成手段によって実現することが可能である。
【０００９】
本発明で、マッサージ要素には、例えば空気の給排気に伴い膨縮する空気袋又はバイブレータ等を用いることができる。これに対応して、マッサージ要素が空気エネルギーで膨縮される空気袋の場合、駆動部にはエアーを給排気させる駆動部を用いるとともに、空気袋用の伝達要素としてエアーチューブを用いることができる。同様に、マッサージ要素がバイブレータ等のように電気エネルギーで動作される場合、それ用の伝達要素として絶縁被覆電線を用いることができるとともに、駆動部にはバイブレータ等の強さや動作間隔などを電気的に制御する駆動部を用いることができる。
【００１０】
本発明で、伝達要素の引き回し部分が平面状に並べられているとは、所定本数の伝達要素がその径方向に並べられていることを指している。この場合、単層の平面状には制限されず、複数層の平面状とすることができ、後者のように複数層として実施する場合には、面状に展開する各伝達要素の並び方向の幅より積層厚みを小さくすることが好ましい。
【００１１】
本発明では、駆動装置の駆動部をマットレスで上側から覆って、駆動部が容易に視認されないようにできる。更に、駆動部とマットレスのマッサージ要素との間にわたる駆動装置の各伝達要素の引き回し部分が、平面状をなしてマットレスの外周面に沿って引き回されているので、使用者にとって邪魔になり難い状態に整然と配設できる。
【００１２】
【発明の実施の形態】
以下、図１〜図５を参照して本発明の第１実施形態を説明する。
【００１３】
図１及び図２に例示するベッド１は、ベッドフレーム２と、下部マットレスとして使用される基礎マットレス３と、マット式マッサージ機４とを具備している。マッサージ機４は、マッサージ機能を有する上部マットレス５と、駆動装置としてのエアー給排気装置６、及び操作部としてのリモートコントローラ７（図４参照）を備えている。基礎マットレス３上には上部マットレス５が取外し可能に載置されている。
【００１４】
木材等で作られるベッドフレーム２は、基礎マットレス３より一回り大きい四角枠状をなす枠部１１、及びこの枠部１１の一端の枠片を兼ねて設けられたヘッドボード１２とを有している。図示の例では枠部１１は床面（設置面）Ｆに直に置かれるものであるが、図示しないキャスター等の足を設けることも可能であり、又、ヘッドボード１２は小棚を有する宮付きの構造であってもよい。
【００１５】
基礎マットレス３は例えば四隅等に足（図２に２個のみ図示する。）３ａを有して、枠部１１内で床面Ｆ上に置かれる。基礎マットレス３の下面３ｂは床面Ｆから離れて、この床面Ｆとの間に床上空間Ｇを設けている。基礎マットレス３の足元側は人体による荷重が少ない所であり、この足元側の下面３ｂには図２に示すように床上空間Ｇを上方へ広げるために凹み３ｃが設けられている。なお、ベッドフレーム２の枠部相当部分が、枠状ではなく、基礎マットレス３を上面に載置する台状の基礎フレームである場合、この台状部分の下面に設けられている足により、マットレス３の下面３ｂを床面Ｆから離すことができる。
【００１６】
基礎マットレス３は、台状に形成されたばねユニット（図示しない）を内蔵して形成されている。ばねユニットは、例えば主として上下方向に弾性反発作用を発揮するように組合わされた弾性支持部材例えば多数のサポートばねを含んでいる。このばねユニットを備えている基礎マットレス３は、それ全体で、上部マットレス５を介して加わる人体の荷重の半分程度を支持して、ベッド１上の人体の沈み込み過ぎを抑制して良好な寝心地を確保するために用いられている。
【００１７】
上部マットレス５は、基礎マットレス３と略同じ大きさであって、図２及び図３に示すようにマットレスベース１５と、この上に積層されたマット１４と、これらを出し入れ可能に収容した布製などのマットレスカバー１８とを備えて作られている。マットレスカバー１８は、上下一対のカバー部材１８ａ、１８ｂを一対のファスナー１８ｃにより開閉可能に接続して形成されている。一対のファスナー１８ｃ間にはマットレスカバー１８の足元側中央部で途切れていて、これらの間には例えば横長な通孔１９が設けられている。
【００１８】
マットレスベース１５は寝具としての寝心地を確保するために心材的に用いられている。このベース１５は台状に形成されたばねユニット（図示しない）を内蔵して形成されている。このばねユニットは、例えば主として上下方向に弾性反発作用を発揮するように組合わされた多数のコイルばねを含んでいる。ばねユニットのコイルばねのばね力は、基礎マットレス３のばねユニットが有しているサポートばねのばね力より弱い。このばね力及びマット１４のクッション性により、ベッド１上の人体の体形に沿った適度な沈み込みを許して良好な寝心地を確保するように作られている。
【００１９】
マット１４は、第１、第２のマット要素１６、１７を積層し、かつ、その合わせ面の数個所を図示しない接着剤で接着して作られている。下側の第２マット要素１７は、後述するマッサージ要素のマッサージ力を大きく吸収しない程度に低い弾性力を有する合成樹脂の発泡体、例えば硬質発泡ウレタンフォームで作られている。この第２マット要素１７の弾性力はマットレスベース１５のコイルばねのばね力より弱い。上側の第１マット要素１６は、高い弾性力を有する合成樹脂の発泡体例えばスポンジ状の軟質発泡ウレタンフォームで作られている。この第１マット要素１６の弾性力は第２マット要素１７の弾性力より弱い。第１マット要素１６は例えば第２マット要素１７より薄く作られている。
【００２０】
マット１４には複数のマッサージ要素として例えば空気袋２１ａ〜２１ｅが取付けられている。これらの空気袋２１ａ〜２１ｅは例えば第１、第２のマット要素１６、１７間に挟まれている。詳しくは、図４に示すように第２マット要素１７には、幅方向片側に位置して第１の空気袋２１ａ〜２１ｅ群が配置されているとともに、他の幅方向片側に位置して第２の空気袋２１ａ〜２１ｅ群が配置されている。空気袋２１ａ〜２１ｄは上部マットレス５上の人体の上半身に対応する位置に設けられ、空気袋２１ｅは上部マットレス５上の人体の腿に対応する位置に設けられている。これら空気袋の配置は、ベッド１を使用する二人の使用者に対するものであり、シングルベッドとして実施する場合には、一方の空気袋群が省略され、使用される空気袋群が第２マット要素１７の幅方向両端部間に配設される。
【００２１】
このように空気袋２１ａ〜２１ｅを第２マット要素１７上の既述の所定位置に配置するために、第２マット要素１７には、第１の凹み２５及び第２の凹み２６が設けられている。これらの凹み２５、２６は、マッサージ要素配設領域である空気袋配設領域をなしていて、各空気袋２１ａ〜２１ｅが収縮した状態での厚さに略等しい深さを有している。第１の凹み２５には空気袋２１ａ〜２１ｄが埋め込み状態に配設され、第２の凹み２６には空気袋２１ｅが埋め込み状態に配設されている。各空気袋２１ａ〜２１ｅは、その膨張の妨げとならないように第１の凹み２５又は第２の凹み２６の底面に図示しない固定具や接着剤等を介して取付けることが望ましい。
【００２２】
図４に示すように第２マット要素１７には溝２７が形成されている。この溝２７の中央部は、第２マット要素１７の長手方向一端側の縁に沿って設けられ、かつ、第２マット要素１７の長手方向一端側の幅方向中央部端面にも開放（この部分を開放溝と称する。）されている。更に、溝２７の左右部分は第２マット要素１７の側縁に沿って、このマット要素１７の長手方向他端側に向けて延びていて、第１の凹み２５又は第２の凹み２６に連通している。
【００２３】
各空気袋２１ａ〜２１ｅにこれらを膨縮するための駆動エネルギーを導く空気を給排気する前記エアー給排気装置６は、上部マットレス５に対して別置きされる駆動部３１と、前記駆動エネルギーを導く伝達要素として用いられる複数のエアーチューブ３２とを備えている。
【００２４】
駆動部３１は、図示しないが、電磁駆動式のエアーポンプ、このポンプの吐出し口に接続されたエアー分配装置例えばロータリー式のエアー分配器等を備えている。エアー分配器は、エアーポンプの吐出し口に接続された一つの入口と、一つの排気口と、前記空気袋２１ａ〜２１ｅの数に応じた複数の分配口、ステッピングモータにより回転され空気の分配等を伴う給排気動作を行わせる回転体、及びエアーポンプとエアー分配装置との動作を制御するマイクロコンピュータ等からなる制御部とを有している。マッサージの力を強中弱等に変更したり、使用する空気袋２１ａ〜２１ｅの選択等の制御部に対する運転指令は、ベッド１上の使用者によってリモートコントローラ７により与えられる。なお、図示の場合、運転指令は有線で行っているが、受信部をベッド１の例えばヘッドボード１２等に設けて、この受信部と駆動部３１とを電気的に接続する構成とすることにより、リモートコントローラ７からの指令を受信部に無線送信して制御部に与えることも可能である。
【００２５】
各エアーチューブ３２は可撓性を有しており、これらの一端部は駆動部３１に図示しないコネクタを介して着脱可能に接続されている。各エアーチューブ３２は、第２マット要素１７の足元側の幅方向中央部端面に設けられている前記開放溝を通って溝２７内に配管されていて、空気袋２１ａ〜２１ｅに個別に接続されている。
【００２６】
各エアーチューブ３２は、第２マット要素１７の長手方向一端側の幅方向中央部の前記開放溝から外に引出されて平面状に並べられた引き回し部分３２ａを有している。図３（Ａ）（Ｂ）、及び図５（Ｂ）に示すように引き回し部分３２ａは、各エアーチューブ３２をその径方向に並べて作られている。この平面状の引き回し部分３２ａは、前記マットレスカバー１８の通孔１９から外に引出されていて、図２に示すように上部マットレス５及び基礎マットレス３の足元側部分の外周面を上下方向に横切るとともに基礎マットレス３の足元側裏面に沿って引き回し保持されている。
【００２７】
この引き回しを容易に実現するために保持帯３３が用いられている。この保持帯３３は引き回し状態を保持する保持手段として機能するものであって、図５（Ａ）（Ｂ）に示すように柔軟性を有する材料好適にはシート状の表側布カバー３３ａと、この表側布カバー３３ａの裏面に設けられた保持要素、好適には裏側布カバー３３ｂとを、幅方向に所定間隔ごとに逢着して作られている。尚、裏面の保持要素は布以外のものであってもよい。図５（Ｂ）中符号Ａで示す各逢着部はいずれも保持帯３３の長手方向に沿って延びており、このため、保持帯３３は各エアーチューブ３２と同じ数の円筒状通路３３ｃを有している。そして、これらの通路３３ｃに各エアーチューブ３２が個別に貫通されている。更に、保持帯３３の例えば長手方向両端部裏面には夫々面ファスナ３３ｄ、３３ｅが取付けられている。
【００２８】
この保持帯３３の布カバー３３ａ、３３ｂは、一枚の布地を二つ折りしたものでも、２枚の布地を重ねたものであってもよい。更に、保持帯３３の少なくとも表側布カバー３３ａには、基礎マットレス３及び上部マットレス５の外面と同種の布地、若しくは、織り方や模様が近似している布地を好適に用いることができる。こうすることでベッド１の足元側に露出する保持帯３３が両マットレス３、５に対して異質感を与えないようにできる。
【００２９】
保持帯３３は、その一端部の面ファスナ３３ｄを、上部マットレス５に予め設けられている図示しない面ファスナに接合させるとともに、他端部の面ファスナ３３ｅを基礎マットレス３の周部下面に予め設けられている図示しない面ファスナに接合させることによって、引き回し部分３２ａを既述の引き回し状態に保持している。この引き回しにより、引き回し部分３２ａは、基礎マットレス３の足元側端面と枠部１１の足元側枠板との間の隙間Ｂに通されている。各エアーチューブ３２の保持帯３３から外れて駆動部３１に至る部分はばらされていて、それらの先端がコネクタを介して駆動部３１に接続されている。
【００３０】
引き回し部分３２ａの表側全体を覆う保持帯３３の表側布カバー３３ａには、好ましい例として布製その他材料からなるシール３４が張り付けられている。このシール３４には、マッサージ機１ひいてはベッド１のグレードを表す意匠や製造会社名などの製品識別表示３４ａが設けられている。このように表側布カバー３３ａに製品識別表示３４ａを設けることにより、他の部分に表示する必要がなくなり、マットレスカバー１８等に対する加工工数を減らすことができる。なお、これに代えて、表側布カバー３３ａに対する製品識別表示３４ａの加工は、表側布カバー３３ａがマットレスカバー１８等に比較して遥かに小さく取扱い易いので、簡単に行える。更に、製品式識別表示３４ａは製品としては必要不可欠なものであり、これによって保持帯３３の表面を実質的に目隠したので、保持帯３３が両マットレス３、５に対して異質感を与えないようにできる点でも優れている。
【００３１】
前記駆動部３１は基礎マットレス３及び上部マットレス５の投影領域内に位置して、床面Ｆと基礎マットレス３との間の床上空間Ｇ内に配置されている。この場合、前記凹み３ｃに臨んで床面Ｆ上に載置されている。これにより、駆動部３１をヘッドボード１２側から遠ざけて、駆動音がベッド１上の使用者に聞こえることを抑制している。
【００３２】
前記構成のマッサージ機能を備える上部マットレス５を備えたベッド１でマッサージをするには、エアー給排気装置６の駆動部３１を駆動して空気袋２１ａ〜２１ｅの内で所望の空気袋に空気を繰返し給排気し、その空気袋を膨縮させればよく、これにより、膨縮する空気袋に対応した人体の被施療部位にエアー式のマッサージを施すことができる。この場合、駆動部３１をリモートコントローラ７で遠隔制御して、マッサージ力の大きさを変えることが可能である。
【００３３】
こうしたマッサージにおいて空気袋２１ａ〜２１ｅに給排気される空気は各エアーチューブ３２を流通する。これらのチューブ３２は上部マットレス５内で溝２７に収容されているので、人体の重さによって潰れる恐れがない。しかも、各エアーチューブ３２が上部マットレス５外に引出された部分は、図５（Ａ）に示すように好ましくは一列で平面状に並べて保持されている。これにより、各エアーチューブ３２の引き回し部分３２ａを両マットレス３、５の足元側外表面にフィットさせて沿わせているにも拘らず、上部マットレス５内への引き込み部分及び基礎マットレス３の下面３ｂへの回し込み部分で、各エアーチューブ３２が潰れる恐れを抑止することが可能である。
【００３４】
ちなみに、多数本のエアーチューブ３２を一つに束ねて引き回す場合には、前記引き込み部分及び回し込み部分での曲り方が、両マットレスに近いエアーチューブ３２と遠いエアーチューブ３２とでは異なり、積層されている互いの曲り部分が干渉し合って各エアーチューブ３２に潰れを生じる恐れが考えられる。しかし、各エアーチューブ３２を既述のように平面状に並べた場合には前記干渉がなく、仮に干渉があったとしてもその影響は実質的に無視できる程度に小さいので、各エアーチューブ３２の潰れを抑止できる。したがって、各エアーチューブ３２での通気抵抗が増えることがなくなり、空気袋２１ａ〜２１ｅに対する所定の空気の給排気を円滑に実行させることが可能である。
【００３５】
更に、マッサージ機能を停止させて単なるマットレスとしての使用を望む場合には、エアー給排気装置６の駆動部３１を停止させて、各空気袋２１ａ〜２１ｅを収縮状態に保持すればよい。この場合、第１マット要素１６の柔軟性により、収縮した空気袋２１ａ〜２１ｅがベッド１上の人体に異物感を実質的に与えないようにできる。
【００３６】
又、前記ベッド１は、マッサージ機能を有する上部マットレス５とは別置きされる駆動部３１を、ベッドフレーム２の内側の床上空間Ｇを利用してそこに配置し、両マットレス３、５で上方から覆ったので、駆動部３１が容易に視認されることがなくなり、外観的に好ましい。しかも、各エアーチューブ３２の引き回し部分３２ａは、平面状に並べられて既述のように両マットレスの外周面に沿ってフィットした状態で引き回されているので、この点でも各エアーチューブ３２が目立たなくできる。したがって、マット式マッサージ機４及びこれを備えたベッド１の体裁を向上できる。
【００３７】
更に、上部マットレス５に取付けられた空気袋２１ａ〜２１ｅと駆動部３１との間にわたる各エアーチューブ３２は、両マットレス３、５の外周面に沿って引き回されている。このため、基礎マットレス３に各エアーチューブ３２を通す上下方向の孔や凹みなどを加工することを要しないで、各エアーチューブ３２を上部マットレス５と床上空間Ｇ内の駆動部３１とにわたって、使用者にとって邪魔になり難い状態に整然と配設できる。これにより、各エアーチューブ３２が使用者の足で踏まれたり、各エアーチューブ３２に使用者の足等が引っ掛かることも抑制されるので、使い勝手を向上できる。
【００３８】
図６は本発明の第２実施形態を示している。この実施形態は基本的には第１実施形態と同じ構成であるので、同じ部分には第１実施形態と同じ符号を付して、その構成および作用の説明を省略し、以下異なる部分について説明する。
【００３９】
第２実施形態では、保持帯３３の裏面の保持要素となる裏側布カバー３３ｂを、保持帯３３の長手方向に沿って間隔的に複数設けている。裏側布カバー３３ｂは、例えば、それぞれ独立した裏側布カバー３３ｂを表側布カバー３３ａの所定位置に逢着して設けることができ、或いは、表側布カバー３３ａに、幅方向に延びる複数の切り込みを有する裏側布カバー３３ｂを逢着し、前記切り込み間の部分を表側カバー３３ａの裏面に重ねることによって、裏側布カバー３３ｂの残った部分と表側布カバー３３ａとの間に通路を形成して設けることも可能である。
【００４０】
このような構成の保持帯３３を使用することにより、この保持帯３３の通路３３ｃの長さが短くなるので、通路３３ｃに各エアーチューブ３２を通す作業が容易となり、生産性の向上に貢献できる。なお、以上説明した点以外の構成は、図６に示されない構成を含めて第１実施形態と同じであるので、この第２実施形態においても本発明の課題を解決することが可能である。
【００４１】
図７及び図８は本発明の第３実施形態を示している。この実施形態は基本的には第１実施形態と同じ構成であるので、同じ部分には第１実施形態と同じ符号を付して、その構成および作用の説明を省略し、以下異なる部分について説明する。
【００４２】
第３実施形態では、保持手段として保持パネル３５を使用している。このパネル３５は、例えば合成樹脂製のパネル本体３６を備えている。この本体３６の少なくとも上下両端部裏面には幅方向に延びる保持凸部３６ａが一体に突設され、これらの凸部３６ａには上下方向に対向する通路３７が所定間隔で開けられている。
【００４３】
各エアーチューブ３２を上下の通孔３７に夫々貫通させることによって、各エアーチューブ３２の引き回し部分３２ａを、その径方向に並べて平面状に並べた状態に、保持パネル３５で保持できる。
【００４４】
図８に示すように各凸部３６ａの裏面には夫々面ファスナ３３ｄ、３３ｅが接着されている。これらの面ファスナ３３ｄ、３３ｅと、両マットレス３、５の足元側外周面に取付けられた図示しない面ファスナとを結合させることによって、図７に示すように保持パネル３５を両マットレス３、５の足元側外周面に沿わせて取付けることができる。この取付けにより、引き回し部分３２ａが両マットレス３、５の足元側外周面に沿って配置される。
【００４５】
更に、引き回し部分３２ａをその表側から覆い隠すパネル本体３６の表面にはシール３４が張り付けられている。なお、以上説明した点以外の構成は、図７及び図８に示されない構成を含めて第１実施形態と同じであるので、この第３実施形態においても本発明の課題を解決することが可能である。
【００４６】
【発明の効果】
本発明によれば、体裁及び使い勝手を向上できるマット式マッサージ機、及びこのマッサージ機を備えたベッドを提供できる。
【図面の簡単な説明】
【図１】本発明の第１実施形態に係るベッドを分解して示す斜視図。
【図２】図１のベッドを示す断面図。
【図３】（Ａ）は図１のベッドが備えるマット式マッサージ機を示す斜視図。
（Ｂ）は図３（Ａ）中Ｚ部を拡大して示す斜視図。
【図４】図３（Ａ）のマット式マッサージ機が備える上部マットレスを分解して示す斜視図。
【図５】（Ａ）は図３（Ａ）のマット式マッサージ機が備える保持帯をそれに保持されたエアーチューブとともに示す裏面図。
（Ｂ）は図５（Ａ）中Ｙ−Ｙ線に沿って示す断面図。
【図６】本発明の第２実施形態に係るマット式マッサージ機が備える保持帯をそれに保持されたエアーチューブとともに示す裏面図。
【図７】本発明の第３実施形態に係るマット式マッサージ機が備える保持帯回りを示す斜視図。
【図８】図７の保持帯をその裏側から見て示す斜視図。
【符号の説明】
１…ベッド
２…ベッドフレーム
３…基礎マットレス
３ａ…基礎マットレスの足
Ｆ…床面（設置面）
Ｇ…床上空間
４…マット式マッサージ機
５…上部マットレス（マットレス）
６…エアー給排気装置（駆動装置）
１１…ベッドフレームの枠部
Ｂ…隙間
１９…通孔
２１ａ〜２１ｅ…空気袋（マッサージ要素）
３１…駆動部
３２…エアーチューブ（伝達要素）
３２ａ…引き回し部分
３３…保持帯（保持手段）
３３ａ…表側布カバー
３３ｂ…裏側布カバー（保持要素）
３３ｃ…通路
３５…保持パネル（保持手段）
３７…通路
【図１】
2004154422.tif 000003
【図２】
2004154422.tif 000004
【図３】
2004154422.tif 000005
【図４】
2004154422.tif 000006
【図５】
2004154422.tif 000007
【図６】
2004154422.tif 000008
【図７】
2004154422.tif 000009
【図８】
2004154422.tif 000010